(57)【特許請求の範囲】
【請求項１】
上下端開口の内容器（２）と、内容器（２）を囲む外装体（４）と、外装体（４）の上端中央に着脱自在に装着し、内容器（２）の上端開口を開閉する蓋体（５）と、外装体（４）内の下端に装着し、内容器（２）を支える底板（６）と、外装体（４）下部前方との間に空間部（２９）を有する台座（９）と、内容器（２）の下端開口に連通したジョイントパイプ（１０）と、このジョイントパイプ（１０）に連通し、内容器（２）内の液体を台座（９）の空間部（２９）に向けて吐出する吐出機構（１１）と、内容器（２）内の液量を外装体（４）の前面上下に表示する液量表示機構（１２）と、外装体（４）の前面より下部前面にあって、吐出機構（１１）及び液量表示機構（１２）を覆う前カバー（１３）とを設け、液量表示機構（１２）にて内容器（２）内の液量を表示すると共に吐出機構（１１）にて内容器（２）内の液体を台座（９）の空間部（２９）に向けて自然吐出する液体保温容器（１）に於いて、上記吐出機構（１１）が前カバー（１３）と共に液体保温容器（１）の本体に対して着脱自在としたことを特徴とする液体保温容器。
【請求項２】
上記液量表示機構（１２）が、前カバー（１３）と共に液体保温容器（１）の本体に対して着脱自在とした請求項１記載の液体保温容器。
【発明の詳細な説明】
【技術分野】
【０００１】
本発明は、吐出機構及び液量表示機構を覆い、しかも液量表示を目視可能とする前カバーを備えた自然吐出式の液体保温容器に関するものである。
【背景技術】
【０００２】
従来、自然吐出式の液体保温容器としては、内容器の上端を液体が注入しやすいように広口とし、下端を細口とした両口瓶を設け、下端細口を開閉することによって、内容器内の液体を自然吐出する構造のものが実開昭６２−３４３号公報（特許文献１  図１参照）として存在する。
【０００３】
【特許文献１】実開昭６２−３４３号（図１）
【０００４】
以下、特許文献１の図１により従来の液体保温容器について説明する。
この特許文献１のポットにあっては、上下端開口の両口瓶を設け、この両口瓶を囲んだポット本体３を設け、ポット本体３と両口瓶との間の下部隙間に両口瓶内の液体を吐出する吐出機構を設け、両口瓶内の液量を表示する水位管７を備えた液量表示機構を設け、ポット本体３の前面に水位管７を立設し、この水位管７を覆う表示パネル１３をポット本体３前面に装着した構成としている。
【０００５】
そして、このポットでは、液量表示機構の水位管７及びこの水位管を上下で接続した継手９、１２の一部のみがポット本体３前面より突出し、この突出した一部の継手９、１２と水位管７とを表示パネル１３で覆っており、しかもこの表示パネル１３の上下左右壁に設けた係合片２３、２６及び係合爪２８、係合凹所２９にてポット本体３前面に装着し、ビス３３にて係止、固定している。
【０００６】
この液量表示機構の水位管７周りにゴミや汚れが溜まるとビス３３を取り外した後に、表示パネル１３の係合片２３、２６及び係合爪２８、係合凹所２９をポット本体３前面より抜き取り、表示パネル１３をポット本体３前面より取り外し、水位管７周りのゴミや汚れを取り除いた後に、表示パネル１３を取り付け、ビス３３止めしていた。
【発明の開示】
【発明が解決しようとする課題】
【０００７】
ところが、このポットは、表示パネルの上端を下側よりポット本体前面上方に差し込み、更に表示パネルの上下左右壁に設けた係合片及び係合爪等をポット本体前面下側に嵌め込み、更にビス止めすることとなっているために、いざ水位管を掃除する場合、ドライバー等の工具がなければ、全く分解することができず、しかも各係合片等をそれぞれ抜き取らねばならず、簡単に着脱できないという問題点があった。
【０００８】
又、液量表示機構の一部であるポット本体前面に突出の水位管だけを交換することができるだけで、ポット本体内の両口瓶から水位管に至るまでの部材の交換や継手の交換も全くできないという問題点があった。
更に、両口瓶内の液体を吐出する吐出機構がポット本体内に設置されているために、全く交換することもできないという問題点があった。
【課題を解決するための手段】
【０００９】
本発明は、上下端開口の内容器２と、内容器２を囲む外装体４と、外装体４の上端中央に着脱自在に装着し、内容器２の上端開口を開閉する蓋体５と、外装体４内の下端に装着し、内容器２を支える底板６と、外装体４下部前方との間に空間部２９を有する台座９と、内容器２の下端開口に連通したジョイントパイプ１０と、このジョイントパイプ１０に連通し、内容器２内の液体を台座９の空間部２９に向けて吐出する吐出機構１１と、内容器２内の液量を外装体４の前面上下に表示する液量表示機構１２と、外装体４の前面より下部前面にあって、吐出機構１１及び液量表示機構１２を覆う前カバー１３とを設け、液量表示機構１２にて内容器２内の液量を表示すると共に吐出機構１１にて内容器２内の液体を台座９の空間部２９に向けて自然吐出する液体保温容器１に於いて、上記吐出機構１１が前カバー１３と共に液体保温容器１の本体に対して着脱自在とした構成としている。又、液量表示機構１２が、前カバー１３と共に液体保温容器１の本体に対して着脱自在とした構成としている。
【発明の効果】
【００１０】
本発明は、従来の問題点を解決したものであって、前カバーを外装体の前面より工具無しに簡単に着脱自在に装着することができる。又、吐出機構や液量表示機構の不良やゴミや汚れ溜まっても、前カバーを脱着して即座に対応できて、手間や煩わしさを解消することができる。
【発明を実施するための最良の形態】
【００１１】
液体保温容器１は、上下端開口の内容器２と、内容器２の底部外壁にあって内容器内の液体を温めるヒータ３と、内容器２を囲む外装体４と、外装体４の上端中央に着脱自在に装着し、内容器２の上端開口を開閉する蓋体５と、外装体４内下端に装着し、内容器２を支える底板６と、中央のヒータ３を支え、下部への放熱を遮蔽する金属製の遮蔽板７と、この遮蔽板７と間隔を隔てて外装体４の下部前面を残して外装体下端面を覆う底カバー体８と、底カバー体８に装着し、外装体下部前方との間に空間部を有する台座９と、内容器２の下端開口に連通のジョイントパイプ１０に連通し、内容器内の液体を台座９の空間部に向けて吐出する吐出機構１１と、内容器内の液量を外装体の前面上下にて表示する液量表示機構１２と、外装体の前面より下部前面にあって、吐出機構１１及び液量表示機構１２を覆う前カバー１３とから構成されている。
【００１２】
内容器２は、ガラス製又はステンレス等の金属製の一重容器で有底筒状に形成されており、上端を内容器内に手を入れて掃除しやすいような広口とし、下端を細口として開口している。内容器２は、ガラス製のときには内壁に銀蒸着を施すようにしてもよい。この内容器２の下端細口には、図２に示すように、ゴム等の弾性材料からなる中空のジョイントパイプ１０を連通している。
【００１３】
ヒータ３は、内容器２の下端開口周りにリング状にして貼り付けられており、内容器内の液体を温めるだけで、沸騰させるものではない。１５は、サーミスタ等の温度感知器である。
【００１４】
外装体４は、合成樹脂材料にて図２に示すように、内容器２の周側壁を覆う胴部と、内容器２の上端部を覆う肩部とを一体成形しており、上端の中央を段状に下げて、内容器２の上端開口とシールパッキンを介して連通している。この外装体４の上端中央の段状内側壁には、ネジを刻設し後述の蓋体を螺着するようにしている。
外装体４は、内容器２と所定の間隔を隔てており、下部内周壁に適宜の間隔を隔てて後述の底板６を係止する複数の係止片を設けている。
【００１５】
外装体４は、図４及び図５に示すように、前面壁上部両側より前方に突出した左、右上部フランジ部２４、２４を設けている。この左、右上部フランジ部２４、２４は、それぞれ上面に図４に示すように、後述の前カバー１３の突起を嵌め込むくぼみ２７を設けている。
【００１６】
この左、右上部フランジ部２４、２４の間は、図５に示すように、左右に設けた立壁３０，３０にて仕切られており、この立壁３０，３０間に後述の吐出機構１１のタッチ板３７を前カバー１３と共に嵌め込んでいる。
内容器２と外装体４との間の空間１４には、発泡ウレタンを充填して、保温性、耐久性等の向上をはかっている。
【００１７】
蓋体５は、外装体４の段状に刻設されたネジに螺着し、中央を上下に開口する下蓋１６と、下蓋１６の上面を覆い、中央を上下に広い開口とする上蓋１７と、下蓋１６の下端中央より垂下した注水パイプ１８と、注水パイプ１８と連通する漏斗状の液体路を備え、上蓋１７と下蓋１６との間に設けて、操作レバー１９にて回動するガイド板２０と、ガイド板２０に伴って摺動し、液体路を開閉する開閉板２１とを設けている。
【００１８】
この蓋体５は、外装体４の段状内に螺着したままで、操作レバー１９を操作し開閉板２１を移動して開放し、上蓋１７の中央の開口よりガイド板２０の液体路及び下蓋１６の中央の開口並びに注水パイプ１８内を連通して、上蓋１７の上方より内容器内に液体を供給することができる。
【００１９】
また、液体の供給が終了すれば、操作レバー１９を逆方向に操作して、開閉板２１を逆方向に移動し閉鎖する。これにより上蓋１７の中央の開口とガイド板２０の液体路とが確実に遮蔽され、液体の供給を阻止することができる。この蓋体５は、螺着したままで内容器内に液体を供給する構造としたが、特にこれに限定されるものではなく、通常の着脱式の栓構造であっても何ら支障をきたすものではない。
【００２０】
内容器２を支える底板６は、中央のヒータ３より離れた内周壁にて開口し、この内周壁を形成する壁に上方に突出した環状の支柱２２を設け、外周壁を外装体４の下部内周壁に複数設けた係止片に係止している。この底板６は、図４及び図５に示すように、前方左右両側に図４に示すように、前方左右両側に後述の前カバー１３の嵌合片を引っ掛ける垂下片２３、２３を下方に向けて垂下している。この底板６の垂下片２３の先端には、それぞれ前後方向に貫通した嵌合孔２８を設けている。
【００２１】
この底板６を外装体４の係止片に係止して、内容器２を支柱２２にて支えた後に、この底板６と外装体４と内容器２との空間１４に発泡ウレタンを充填して、保温性、耐久性を向上し、しかも外装体４に係止する底板６の固定を確かなものとしている。
【００２２】
遮蔽板７は、ステンレス等の金属材料にて薄板で中央開口のほぼ円盤状に形成しており、底板６にビス止めされて、ヒータ３の熱が下方に向けて放熱しないようにしている。
【００２３】
底カバー体８は、合成樹脂材料にて形成しており、遮蔽板７と上下に間隔を隔てて外装体４の下部前面を除いて外装体下端面を覆っている。この底カバー体８と遮蔽板７との間に温度ヒューズや電子回路を備えた基板等を配置するようにしている。
この底カバー体８は、後述の台座９と一体形成しても何ら支障をきたすものではない。
【００２４】
台座９は、合成樹脂材料にて形成しており、底カバー体８の外周端に装着して、外装体４下部前方との間に空間部２９を備えている。３０は液体を受けるコップである。
ジョイントパイプ１０は、ゴム等の弾性材料にてＬ字型の中空パイプであって、上方を内容器２の下端開口に内側より嵌め込まれて連通している。
【００２５】
吐出機構１１は、ジョイントパイプ１０に連通する液通路を備えたユニットパイプ３１と、ユニットパイプ３１内で液通路を閉鎖、開放する弁体と、弁体を外部前面より操作するレバー３３と、レバー３３を摺動する摺動板３４と、弁体を復帰するスプリングと、液通路と連通し液体を吐出する吐出パイプ３５と、外装体４の前方上部の左、右上部フランジ板２４、２４の立壁２５、２５間に設けて摺動板３４を操作するタッチ板３７と、タッチ板３７の駆動を摺動板３４を介してレバー３３に伝える操作軸３８とから構成されている。
【００２６】
この吐出機構１１は、図４及び図５に示すように、後述の前カバー１３に固定されており、液体保温容器１の本体より前カバー１３の着脱と共に着脱している。この吐出機構１１のユニットパイプ３１及び摺動板３４とが後述の前カバー１３の内側に突出した保持板３６に固定されている。前カバー１３が液体保温容器１の本体に対して着脱すると共にこのユニットパイプ３１の後端部が液体保温容器１の本体内のジョイントパイプ１０内側に密に嵌合、離脱するようにしている。
【００２７】
この吐出機構１１は、タッチ板３７に指を掛けタッチ板３７を押圧すると、操作軸３８を降下する。この操作軸３８の降下により摺動板３４を介してレバー３３を後方に押圧する。このレバー３３の押圧によりユニットパイプ３１内の弁体を後方に押圧して、ユニットパイプ３１内の液通路と吐出パイプ３５とを連通し、内容器２内の液体を吐出パイプ３５先端より吐出する。
【００２８】
又、タッチ板３７に掛けた指を離すと、操作軸３８が復帰して上昇する。この操作軸３８の上昇により摺動板３４を介してレバー３３を復帰させ、ユニットパイプ３１内の弁体をスプリングを介して前方に復帰させ、液通路と吐出パイプ３５との連通を閉鎖し液体の吐出を防止する。
【００２９】
液量表示機構１２は、後述の前カバー１３前方より目視でき、内容器内の液量を示す液量パイプ３９と、一端を液量パイプ３９の下端に連通し、他端をユニットパイプ３１の液通路と連通する下部ジョイントパイプ４１と、一端を液量パイプ３９の上端に連通し、他端を内容器２の上端開口の高さ近くまで延ばして自由端とした上部ジョイントパイプ４０とからなっている。上部ジョイントパイプ４０は、後述の前カバー１３の上部突起片２５に支持し、下部ジョイントパイプ４１は、後述の前カバー１３の下部突起片２６に支持している。
【００３０】
この液量パイプ３９に蓮通した下部ジョイントパイプ４１の他端は、ユニットパイプ３１内の弁体摺動部分よりも後方で、ジョイントパイプ１０内に嵌合されるユニットパイプ３１の後方よりも前方の液通路側と連通している。これにより前カバー１３と共に着脱する吐出機構１１に同調して液量表示機構１２も前カバー１３と共に液体保温容器１の本体より着脱することとなる。
【００３１】
前カバー１３は、図３乃至図５に示すように、上部内側の左右に外装体４の左、右上部フランジ板２４、２４上に重ね合わされる左、右フランジ部４２、４２と、上部ジョイントパイプ４０を支える上部突起片２５と、下部ジョイントパイプ４１を支える下部突起片２６と、吐出機構１１のユニットパイプ３１及び摺動板３４とを固定する保持板３６と、下部内側の左右に嵌合部４３、４３とを一体成形している。
４４は、液量パイプ３９を目視するために切り欠いた透明部である。左、右フランジ部４２、４２は、それぞれ図４に示すように、下面に左、右上部フランジ板２４、２４のくぼみ２７、２７に嵌め合う突起４５、４５を設けている。
【００３２】
前カバー１３の嵌合部４３は、図４に示すように、前カバー１３の底部より一旦上昇して後方に延び彎曲して前方に延びた挿入片４６と、この挿入片４６より下方に垂下して前方に延びた押圧片４７とを一体成形して、押圧片４７を前カバー１３の底部と別離としている。挿入片４６の下面壁には、底板６の嵌合孔２８に挿入片４６が挿入された後に、嵌合孔２８より挿入片４６が抜き出るのを阻止する爪部４８を設けている。押圧片４７は、前カバー１３の底部と別離しているので、弾性を有することとなって、挿入片４６の下側の壁を押し上げることができる。
【００３３】
前カバー１３を液体保温容器１の本体より取り外すには、嵌合部４３の押圧片４７を上方に押して前方へ引くと弾性により挿入片４６の爪部４８が押し上げられ、底板６の嵌合孔２８より挿入片４６がはずれて前カバー１３を前方へ引き出せ、更に上部の左、右フランジ部４２、４２の突起４５、４５も外装体４のくぼみ２７、２７よりはずれて、前カバー１３を工具無しに極めて簡単に取り外すことができる。
【００３４】
勿論、前カバー１３を前方へ引き出せば、ユニットパイプ３１の後端部がジョイントパイプ１０よりはずれ、この前カバー１３と共に吐出機構１１も液体保温容器１の本体より極めて簡単に取り外すことができる。更に液量表示機構１２も吐出機構１１と同様に前カバー１３と共に液体保温容器１の本体より取り外すことができる。
【００３５】
又、逆に前カバー１３を液体保温容器１の本体に装着するには、上部の左、右フランジ部４２、４２の各突起４５を外装体４の各くぼみ２７に嵌め込んだ後に、各嵌合部４３の挿入片４６を底板６の各嵌合孔２８に向けて差し込むと、挿入片４６の爪部４８が嵌合孔２８の後方より嵌合孔２８を形成する下壁に係止されて、前カバー１３を工具無しに確実、簡単に装着することができる。
【００３６】
勿論、嵌合部４３の挿入片４６を底板６の各嵌合孔２８に向けて差し込むと同時に吐出機構１１のユニットパイプ３１の後端部をジョイントパイプ１０内に差し込むことにより、吐出機構１１を液量表示機構１２と共に液体保温容器１の本体に装着することができる。このジョイントパイプ１０内に差し込まれる吐出機構１１のユニットパイプ３１の後端部とジョイントパイプ１０とは常に嵌合時の位置決めがなされている。
【００３７】
以上本発明の代表的と思われる実施例について説明したが、本発明は必ずしもこれら実施例構造のみに限定されるものではなく、自然落下式の魔法びん等のように本発明にいう前記の構成要件を備え、かつ、本発明にいう目的を達成し、本発明にいう効果を有する範囲内において適宜改変して実施することができるものである。
【図面の簡単な説明】
【００３８】
【図１】本発明実施例の正面図。
【図２】本発明実施例の縦断面図。
【図３】本発明実施例の要部を示す一部縦断面図。
【図４】本発明実施例の前カバーを取り外した一部縦断面図。
【図５】本発明実施例の前カバーを取り外した斜視図。
【符号の説明】
【００３９】
１…液体保温容器
２…内容器
４…外装体
５…蓋体
６…底板
７…遮蔽板
８…底カバー体
９…台座
１０…ジョイントパイプ
１１…吐出機構
１２…液量表示機構
１３…前カバー
２４、２４…左、右上部フランジ板
２５…上部突起片
２６…下部突起片
２７…くぼみ
２８…嵌合孔
３１…ユニットパイプ
３３…レバー
３４…摺動板
３５…吐出パイプ
３６…保持板
３７…タッチ板
３８…操作軸
３９…液量パイプ
４２、４２…左、右フランジ部
４３…嵌合部
４５…突起
４６…挿入片
４７…押圧片
４８…爪部
【図１】
0003711127.tif 000002
【図２】
0003711127.tif 000003
【図３】
0003711127.tif 000004
【図４】
0003711127.tif 000005
【図５】
0003711127.tif 000006